(57)【要約】  この表示器は、基板と；前記基板に設けられた第１発光部および第２発光部と；前記第１発光部の第１の光により照明される第１照明部を有し、内部に入射した前記第１発光部の前記第１の光を前記第１発光部から離れた前記第１照明部まで導光する導光板と；第２照明部を有する意匠板と；を備え、前記導光板が、前記意匠板の前記視認方向の手前側に設けられるとともに、前記第２照明部より大きくかつ前記第２照明部を覆う状態で前記視認方向から視認されるように設けられ；前記第１照明部の少なくとも一部が、前記第２照明部と重ならない状態で前記視認方向から視認されるように設けられ；前記第２照明部が、前記第１発光部から前記第１照明部までの光の導光経路と重なる状態で前記視認方向から視認されるように設けられている。
2012108101.tif 000002
【特許請求の範囲】
【請求項１】
基板と；
前記基板に設けられた第１発光部および第２発光部と；
前記第１発光部の第１の光により照明される第１照明部を有し、内部に入射した前記第１発光部の前記第１の光を前記第１発光部から離れた前記第１照明部まで導光する導光板と；
前記基板と平行に配置されるとともに、前記第２発光部の第２の光により視認方向の奥側から照明される第２照明部を有する意匠板と；
を備え、
前記導光板が、前記意匠板の前記視認方向の手前側に設けられるとともに、前記第２照明部より大きくかつ前記視認方向から見て前記第２照明部を覆うように設けられ；
前記第１照明部の少なくとも一部が、視認方向から見て前記第２照明部と重なるように設けられ；
前記第２照明部が、前記視認方向から見て、前記第１発光部から前記第１照明部までの前記第１の光の導光経路と重なるように設けられている；
ことを特徴とする表示器。
【請求項２】
前記導光板が、前記第１発光部に対向して配置された光導入部を有し；
前記光導入部から前記第１照明部に向かうにつれて前記意匠板から前記導光板までの間隔が増大するように、前記導光板が前記視認方向の手前側に傾斜して配置されている
ことを特徴とする請求項１に記載の表示器。
【請求項３】
前記意匠板の鉛直方向の上部から前記視認方向の手前側に延在する庇部をさらに備え；
前記第１発光部が、前記導光板の鉛直方向下方の位置に設けられ；
前記導光板と前記意匠板とのなす傾斜角が鋭角であり；
前記導光板が、前記視認方向に直交する直交面よりも前記視認方向の手前側に傾斜するように設置され；
前記意匠板が、前記直交面よりも前記視認方向の奥側に傾斜するように設置されている；
ことを特徴とする請求項２に記載の表示器。
【請求項４】
前記視認方向から見て、前記導光板に覆われる前記意匠板の領域のうち前記第２照明部以外の領域が暗色系に着色され；
前記導光板が、該導光板の輪郭部の少なくとも一部を覆うカバーを備え；
前記カバーが、暗色系に着色されている；
こと特徴とする請求項１から請求項３の何れか１つに記載の表示器。
【請求項５】
前記カバーは、前記視認方向から見て、前記第２照明部の縁部に重なるように設けられている
ことを特徴とする請求項４に記載の表示器。
【発明の詳細な説明】
【技術分野】
【０００１】
この発明は、表示器に関する。
本願は、２０１１年０２月０７日に、日本に出願された特願２０１１−０２４０５４号に基づき優先権を主張し、その内容をここに援用する。
【背景技術】
【０００２】
従来、例えば導光体を用いて、文字盤に光を均一に照明する照明装置が知られている（例えば、特許文献１参照）。
【先行技術文献】
【特許文献】
【０００３】
【特許文献１】日本国特開２００９−３００２９２号公報
【発明の概要】
【発明が解決しようとする課題】
【０００４】
ところで、上記従来技術に係る表示器においては、文字盤と導光体とは同じ発光部の光により均一に照明されるだけであり、趣向を凝らした照明によって斬新な見映えのする演出を行なうことは困難であるという問題が生じる。【０００５】
本発明は上記事情に鑑みてなされたもので、趣向を凝らした照明によって斬新な見映えのする演出を行なうことが可能な表示器の提供を目的とする。
【課題を解決するための手段】
【０００６】
本発明は、上記課題を解決して係る目的を達成するために以下の手段を採用した。
すなわち、
（１）本発明の一態様に係る表示器は、基板と；前記基板に設けられた第１発光部および第２発光部と；前記第１発光部の第１の光により照明される第１照明部を有し、内部に入射した前記第１発光部の前記第１の光を前記第１発光部から離れた前記第１照明部まで導光する導光板と；前記基板と平行に配置されるとともに、前記第２発光部の第２の光により視認方向の奥側から照明される第２照明部を有する意匠板と；を備え、前記導光板が、前記意匠板の前記視認方向の手前側に設けられるとともに、前記第２照明部より大きくかつ前記視認方向から見て前記第２照明部を覆うように設けられ；前記第１照明部の少なくとも一部が、視認方向から見て前記第２照明部と重なるように設けられ；前記第２照明部が、前記視認方向から見て、前記第１発光部から前記第１照明部までの前記第１の光の導光経路と重なるように設けられている。【０００７】
（２）上記（１）に記載の表示器は、前記導光板が、前記第１発光部に対向して配置された光導入部を有し；前記光導入部から前記第１照明部に向かうにつれて前記意匠板から前記導光板までの間隔が増大するように、前記導光板が前記視認方向の手前側に傾斜して配置されていてもよい。【０００８】
（３）上記（２）に記載の表示器は、前記意匠板の鉛直方向の上部から前記視認方向の手前側に延在する庇部をさらに備え；前記第１発光部が、前記導光板の鉛直方向下方の位置に設けられ；前記導光板と前記意匠板とのなす傾斜角が鋭角であり；前記導光板が、前記視認方向に直交する直交面よりも前記視認方向の手前側に傾斜するように設置され；前記意匠板が、前記直交面よりも前記視認方向の奥側に傾斜するように設置されていても良い。【０００９】
（４）上記（１）から（３）のいずれか１項に記載の表示器は、前記視認方向から見て、前記導光板に覆われる前記意匠板の領域のうち前記第２照明部以外の領域が暗色系に着色され；前記導光板が、該導光板の輪郭部の少なくとも一部を覆うカバーを備え；前記カバーが、暗色系に着色されていても良い。【００１０】
（５）上記（４）に記載の表示器は、前記カバーは、前記視認方向から見て、前記第２照明部の縁部に重なるように設けられていても良い。
【発明の効果】
【００１１】
上記（１）に記載の表示器によれば、第１照明部が第２照明部と重ならない状態で視認方向から視認される場合には、第２照明部を遮ることなく第１照明部を照明することができる。
さらに、第１照明部と第２照明部とを独立に照明することができ、趣向を凝らした照明を行なうことができる。
さらに、意匠板の手前側に導光板が設けられているため、導光板が複数の光源により照明されているように視認させることができ、斬新な見映えのする演出を行なうことができる。【００１２】
上記（２）に記載の表示器によれば、第１照明部および第２照明部に立体感を持たせて視認させることが可能であり、第２照明部が導光板上に存在するような斬新な見映えのする演出を行なうことができる。【００１３】
さらに、上記（３）に記載の表示器によれば、導光板や意匠板に外光が入射する場合であっても、この外光が視認方向の反対方向（つまり、視認者に向かう方向）に反射されることを防止することができ、視認性を向上させることができる。【００１４】
さらに、上記（４）に記載の表示器によれば、導光板の輪郭部のうちカバーで覆われた部分では第１発光部の光が外部に漏光することは防止される。これにより、第１照明部および第２照明部の輪郭を明確に視認させることができ、斬新な見映えのする演出を行なうことができる。【００１５】
上記（５）に記載の表示器によれば、視認方向に対して第２照明部の縁部をカバーで隠すことができ、第２照明部が導光板上に存在するような斬新な見映えのする演出を効果的に行なうことができる。
【図面の簡単な説明】
【００１６】
【図１】本発明の一実施形態に係る表示器を座席の正面側から見た図である。
【図２】本発明の一実施形態に係る表示器の一部を拡大して示す図である。
【図３】本発明の一実施形態に係る表示器の断面図である。
【図４Ａ】本発明の一実施形態に係る表示器を示す正面図である。
【図４Ｂ】本発明の一実施形態に係る表示器の導光板を示す正面図である。
【図４Ｃ】本発明の一実施形態に係る表示器の導光板を示す正面図である。
【発明を実施するための形態】
【００１７】
以下、本発明の一実施形態に係る表示器について添付図面を参照しながら説明する。
本実施の形態による表示器１０は、例えば図１に示すように、車両の座席（図示略）の正面に配置されるインストルメントパネル１１内に設置されている。
【００１８】
この表示器１０は、例えば図２および図３に示すように、車両のインストルメントパネル１１に取り付け可能なハウジング１２と、車両の座席（図示略）に向かって開口するハウジング１２の開口部１２ａを覆い透光性を有する透明カバー１３とを備えている。
そして、表示器１０は、ハウジング１２内に、基板２１と、意匠板２２と、該基板２１に設けられた２つの導光板用発光部（第１発光部）２３，２３および意匠板用発光部（第２発光部）２４と、導光板２５とを収容して構成されている。この導光板用発光部２３，２３は、導光板２５の鉛直方向下方の位置に設けられていることが好ましい。
【００１９】
基板２１には、例えばガラスエポキシ系基材に配線パターンが形成され、基板２１は、座席の正面側から見た意匠板２２の背後に配置されている。
基板２１上には、例えば抵抗およびコンデンサなどの各種の回路部品（図示略）と、例えば車両の状態に応じて異なる色で発光可能な導光板用発光部２３および意匠板用発光部２４とが、配線パターンに導通接続されて配置されている。
【００２０】
意匠板２２は、例えば図３に示すように、基板２１と略平行に配置され、さらに、所定の視認方向に直交する直交面Ｖよりも視認方向の奥側（つまり、基板２１側）に所定角度θ２で傾斜するように設置されていることが好ましい。
所定の視認方向は、例えば意匠板２２の正面に配置された車両の座席（図示略）に着座した乗員から意匠板２２を見た場合の平均的な視線方向などである。
【００２１】
また、ハウジング１２は、意匠板２２の鉛直方向上部から視認方向の手前側に延在する庇部１２ｂを備えていることが好ましい。
【００２２】
意匠板２２は、例えば図２および図３および図４Ａに示すように、例えば青などの有色かつ透光性を有する合成樹脂などの透光性部材によって形成された意匠板照明部（第２照明部）３１を備えている。
意匠板照明部３１は、視認方向に対して背後（視認方向の奥側）に意匠板用導光体３２を備えている。
【００２３】
意匠板用導光体３２は、視認方向に対して背面側の表面上に多数の凹凸が形成された凹凸面３２ａを備えている。意匠板用導光体３２は、基板２１上に配置された意匠板用発光部２４の光（第２の光）を、内部に導光させ、凹凸面３２ａにおいて拡散反射させる。この拡散反射による反射光を意匠板照明部３１に向かって配光させて、意匠板照明部３１を視認方向に対して背後（視認方向の奥側）から透過照明する。
【００２４】
なお、意匠板用導光体３２は、意匠板照明部３１を照明する。具体的には、例えば、意匠板照明部３１の鉛直方向下方の中心部から左右方向および上方の端部に向かうに伴い、照度が滑らかに減少して（グラデーション状に）意匠板照明部３１を照明する。
【００２５】
また、意匠板２２は、図２および図４Ａに示すように、意匠板照明部３１よりも鉛直方向上方の位置には、例えば車両の速度を表示する速度表示部３５などを備えている。この速度表示部３５の右側には、例えば内燃機関（図示略）の燃料消費率などを表示する右側表示部３６が配置され、また、速度表示部３５の左側には、例えば内燃機関（図示略）の残燃料などを表示する左側表示部３７が配置されている。
【００２６】
そして、視認方向から視認される意匠板２２の領域のうち、意匠板照明部３１および各表示部３５，３６，３７以外の領域は暗色系に着色されていることが好ましい。
【００２７】
導光板２５は、例えば図２，図３，図４Ｂ及び図４Ｃに示すように、例えば無色透明な透光性を有する合成樹脂などの透光性部材によって形成される。導光板２５は、基板２１上に配置された２つの導光板用発光部２３，２３の光（第１の光）により照明される２つの導光板照明部（第１照明部）４１，４１と、導光板本体４２と、２つの導光板用発光部２３，２３の光を内部に導入する２つの光導入部４３、４３とを備えている。
【００２８】
２つの導光板照明部４１，４１は、例えば導光板本体４２の鉛直方向上部において、車両の左右方向に所定間隔をあけて配置され、車両の上方側の外部に向かって突出している。
そして、各導光板照明部４１は、視認方向に対して背面側の表面上に多数の凹凸が形成された凹凸面から成る拡散面４１ａを備えている。
【００２９】
２つの光導入部４３、４３は、例えば導光板本体４２の鉛直方向の下部において車両の左右方向に所定間隔をあけて配置され、車両の下方側の外部に向かって突出している。
各光導入部４３は、意匠板２２の鉛直方向下端よりも下方において基板２１に向かい湾曲し、各光導入部４３の先端部４３ａが基板２１上に配置された導光板用発光部２３に対向するように形成されている。
つまり、各導光板用発光部２３は、導光板２５と意匠板２２との間の距離（間隔）が近い位置、すなわち、導光板２５と基板２１との間の距離が近い位置に配置されていることが好ましい。
【００３０】
導光板本体４２は、光導入部４３から内部に導入された導光板用発光部２３の光を導光板用発光部２３から離れた導光板照明部４１まで内部を通し導光可能である。
【００３１】
つまり、導光板２５は、基板２１上に配置された各導光板用発光部２３の光を、各光導入部４３から内部に導入して、各光導入部４３から導光板本体４２および各導光板照明部４１内に導光する。各導光板照明部４１内を導光した光は、各導光板照明部４１の拡散面４１ａにおいて拡散反射し、導光板２５は、この拡散反射による反射光を車両の座席（図示略）の正面側に向かい配光する。
【００３２】
導光板２５は、例えば図３に示すように、各導光板用発光部２３の位置から各導光板照明部４１に向かい遠ざかるにしたがって（つまり、各導光板用発光部２３に対向して配置される各光導入部４３の位置から各導光板照明部４１に向かい遠ざかるにしたがって）、意匠板２２からの距離（例えば、水平距離など）が増大するようにして、視認方向の手前側に傾斜して配置されている。
【００３３】
また、導光板２５は、例えば意匠板２２とのなす傾斜角（例えば、図３に示すθ１＋θ２）が鋭角となるように配置されることが好ましい。さらに、導光板２５は、視認方向に直交する直交面Ｖよりも視認方向の手前側（つまり、透光性透明カバー１３側あるいは車両の座席の正面側）に所定角度θ１で傾斜するように設置されていることが好ましい。
【００３４】
また、導光板２５は、例えば図４Ｂに示すように、輪郭部４１ｂの少なくとも一部、例えば２つの導光板照明部４１，４１の輪郭部４１ｂと、導光板本体４２の鉛直方向の下部以外の輪郭部４１ｂとを覆うカバー４４を備えていることが好ましい。
カバー４４は、例えば意匠板２２の領域のうち意匠板照明部３１および各表示部３５〜３７以外の領域と同一の暗色系に着色されることが好ましい。このカバー４４により、導光板２５の内部の光が、２つの導光板照明部４１，４１の輪郭部４１ｂおよび導光板本体４２の鉛直方向下部以外の輪郭部４１ｂから外部に漏洩することを防止している。
【００３５】
そして、意匠板２２に対して視認方向の手前側に設けられた導光板２５は、図２に示すように、視認方向から見た場合、意匠板照明部３１全体を覆う大きさである。具体的には、導光板２５のうちの導光板本体４２が意匠板照明部３１より大きくかつ意匠板照明部３１を覆う状態で視認方向から視認されるように設けられている。
また、各導光板照明部４１の少なくとも一部は、意匠板照明部３１と重ならない状態で視認方向から視認されるように設けられている。
【００３６】
また、導光板２５内の光の導光経路は、各導光板用発光部２３から各光導入部４３の内部に導入されて、各光導入部４３から導光板本体４２および各導光板照明部４１内に導光される経路である。この導光経路が意匠板照明部３１と重なる状態で視認方向から視認されるように、導光板２５が設けられている。
【００３７】
導光板２５内の光の導光経路は、例えば、車両の左右方向の右側および左側毎に対をなす光導入部４３および導光板照明部４１を含む領域であって、導光経路の左右方向幅は、光導入部４３の上端部の左右方向の幅、あるいは、導光板照明部４１の下端部の左右方向の幅うち、何れか大きい方である。
そして、導光経路が意匠板照明部３１と重なる状態とは、導光経路の左右方向幅内に意匠板照明部３１が重なる状態である。
さらに、導光板２５のカバー４４は、意匠板照明部３１の縁部に重なる状態で視認方向から視認されるように設けられていることが好ましい。
【００３８】
つまり、導光板２５の導光板本体４２のうちカバー４４によって覆われていない領域での光の導光経路は、有色の意匠板照明部３１を背景として重なった状態で視認方向から視認され、あたかも有色の意匠板照明部３１が導光板２５上に存在するような演出が効果的に行なわれている。
しかも、各導光板照明部４１は、視認方向の手前側に傾斜していることから、意匠板２２から浮き上がって立体的に視認される。
【００３９】
上述したように、本実施の形態による表示器１０によれば、意匠板照明部３１と各導光板照明部４１とを独立に照明することができ、趣向を凝らした照明を行なうことができる。
さらに、視認方向において意匠板２２の手前側に導光板２５が設けられ、導光板本体４２は意匠板照明部３１を背景として重なった状態で、あたかも意匠板照明部３１が導光板２５上に存在するように視認方向から視認される。これにより、導光板２５が複数の光源により照明されているように視認させることができ、斬新な見映えのする演出を行なうことができる。
【００４０】
さらに、各導光板用発光部２３は、意匠板２２と基板２１との位置が近い場合、例えば、意匠板２２と基板２１との間隔が意匠板用発光部２４の高さ寸法程度である場合、導光板２５と意匠板２２との間の距離が近い位置、つまり導光板２５と基板２１との間の距離が近い位置に配置されることから、各導光板用発光部２３と基板２１との間の配線を省略あるいは短縮することができる。したがって、表示器１０の構成に要する費用を削減することができ、表示器１０を軽量化することができるとともに、見映えを向上させることができる。
【００４１】
さらに、ハウジング１２の庇部１２ｂによって、意匠板２２に外光が入射すること、あるいは、意匠板２２に入射した外光が視認方向の反対方向（つまり、車両の座席および視認者に向かう方向）に反射されることを防止することができる。
また、導光板２５は、視認方向の手前側に傾斜して配置されていることから、導光板２５に入射した外光が視認方向の反対方向（つまり、車両の座席および視認者に向かう方向）に反射されることを防止することができる。
【００４２】
さらに、導光板２５の輪郭部４１ｂのうちカバー４４で覆われた部分では、導光板２５の内部に導光された各導光板用発光部２３の光が外部に漏光することは防止される。これにより、各導光板照明部４１および意匠板照明部３１の輪郭を明確に視認させることができ、斬新な見映えのする演出を行なうことができる。
【００４３】
しかも、導光板２５のカバー４４は、意匠板照明部３１の縁部に重なる状態で視認方向から視認されることから、視認方向に対して意匠板照明部３１の縁部をカバー４４で覆い隠すことができる。この結果、意匠板照明部３１が導光板２５上に存在するような斬新な見映えのする演出を効果的に行なうことができる。
【００４４】
なお、この発明は上記の実施形態に限定されるものではなく、その要旨を逸脱しない範囲で種々の設計変更が可能である。例えば、上述した実施の形態においては、各導光板照明部４１の少なくとも一部は、意匠板照明部３１と重ならない状態で視認方向から視認されるように設けられているとしたが、これに限定されず、各導光板照明部４１全体が意匠板照明部３１と重ならない状態で視認方向から視認されるように設けられてもよい。
この場合には、意匠板照明部３１を遮ることなく各導光板照明部４１を照明することができる。
【００４５】
なお、上述した実施の形態においては、カバー４４は省略されてもよい。
この場合であっても、導光板本体４２が意匠板照明部３１より大きくかつ意匠板照明部３１を覆う状態で視認方向から視認されるように設けられている。これにより、導光板２５の内部の光が外部に漏光する可能性がある輪郭部４１ｂは、意匠板照明部３１と重ならない状態で視認方向から視認される。
この結果、意匠板照明部３１が導光板２５からの漏光によって遮られてしまったり、意匠板照明部３１が導光板２５上に存在するような演出が損なわれてしまうことは防止される。
【００４６】
なお、上述した実施の形態においては、導光板２５は、各導光板用発光部２３の位置から各導光板照明部４１に向かい遠ざかるにしたがって、意匠板２２からの距離（例えば、水平距離など）が増大するとしたが、これに限定されず、意匠板２２からの距離（例えば、水平距離など）は一定であってもよい。
また、上述した実施の形態においては、意匠板２２および導光板２５は、視認方向に直交する直交面Ｖに平行であってもよい。
【００４７】
なお、上述した実施の形態においては、カバー４４と、意匠板２２の領域のうち意匠板照明部３１および各表示部３５，３６，３７以外の領域とは、互いに異なる暗色系に着色されてもよい。
【符号の説明】
【００４８】
１０  表示器
１１  インストルメントパネル
１２ｂ  庇部
２１  基板
２２  意匠板
２３  導光板用発光部（第１発光部）
２４  意匠板用発光部（第２発光部）
２５  導光板
３１  意匠板照明部（第２照明部）
４１  導光板照明部（第１照明部）
４４  カバー
【図３】
2012108101.tif 000003
【図４Ｂ】
2012108101.tif 000004
【図４Ｃ】
2012108101.tif 000005
【図１】
2012108101.tif 000006
【図２】
2012108101.tif 000007
【図４Ａ】
2012108101.tif 000008
【手続補正書】
【提出日】平成24年5月28日(2012.5.28)
【手続補正１】
【補正対象書類名】特許請求の範囲
【補正対象項目名】全文
【補正方法】変更
【補正の内容】
【特許請求の範囲】
【請求項１】
基板と；
前記基板に設けられた第１発光部および第２発光部と；
前記第１発光部の第１の光により照明される第１照明部を有し、内部に入射した前記第１発光部の前記第１の光を前記第１発光部から離れた前記第１照明部まで導光する導光板と；
前記基板に配置されるとともに、前記第２発光部の第２の光により視認方向の奥側から照明される第２照明部を有する意匠板と；
を備え、
前記導光板が、前記意匠板の前記視認方向の手前側に設けられるとともに、前記第２照明部より大きくかつ前記視認方向から見て前記第２照明部を覆うように設けられ；
前記第１照明部の少なくとも一部が、視認方向から見て前記第２照明部と重ならないように設けられ；
前記第２照明部が、前記視認方向から見て、前記第１発光部から前記第１照明部までの前記第１の光の導光経路と重なるように設けられ；
前記導光板が、前記第１発光部に対向して配置された光導入部を有し；
前記光導入部から前記第１照明部に向かうにつれて前記意匠板から前記導光板までの間隔が増大するように、前記導光板が前記視認方向の手前側に傾斜して配置され；
前記意匠板の鉛直方向の上部から前記視認方向の手前側に延在する庇部をさらに備え；
前記第１発光部が、前記導光板の鉛直方向下方の位置に設けられ；
前記導光板と前記意匠板とのなす傾斜角が鋭角であり；
前記導光板が、前記視認方向に直交する直交面よりも前記視認方向の手前側に傾斜するように設置され；
前記意匠板が、前記直交面よりも前記視認方向の奥側に傾斜するように設置されている；
ことを特徴とする表示器。
【請求項２】
（削除）
【請求項３】
（削除）
【請求項４】
前記視認方向から見て、前記導光板に覆われる前記意匠板の領域のうち前記第２照明部以外の領域が暗色系に着色され；
前記導光板が、該導光板の輪郭部の少なくとも一部を覆うカバーを備え；
前記カバーが、暗色系に着色されている；
こと特徴とする請求項１に記載の表示器。
【請求項５】
前記カバーは、前記視認方向から見て、前記第２照明部の縁部に重なるように設けられている
ことを特徴とする請求項４に記載の表示器。
【国際調査報告】
2012108101.tif 000009
2012108101.tif 000010
2012108101.tif 000011
2012108101.tif 000012
2012108101.tif 000013
2012108101.tif 000014